(57)【要約】【課題】本発明は、住宅、店舗、工場では、適正な力率管理が要求されるものの受電設備を設計する場合、特に低圧、高圧需要家では、力率改善対策は電気工事の施工費安価が優先されるため、理想的な形態としては実用化されていない。そのため単相、三相誘導電動機、誘導負荷の無効電力分を考慮した過大な安全率による設備設計が採用されるため、受電設備は必然的に大型化し、余剰な投資負担を強いられている実情がある。また、制御盤製造と施工は仕様によっては、電力受給契約種別の適用除外もあり、電気供給約款の契約負荷設備を設計指針とする必要がある。上記の無効電力を削減し、適正な設計、電気容量、投資とする力率改善法を低圧力率調整盤で提供する。【解決手段】無効電力を削減し、適正な設計、電気容量、投資とする力率改善法を低圧力率調整盤で提供する。【選択図】図９
2011257819.tif 000002
【特許請求の範囲】
【請求項１】
単相電圧を供給電源とする電磁接触器電磁コイルと、単相電圧または三相電圧を供給電源とする低圧進相コンデンサと、単相電圧と三相電圧を併用供給電源とする自動力率調整装置と、単相開閉器と三相開閉器と変流器と端子台からなる単相電源と三相電源を併用する入力回路を１収納箱に収め力率改善制御を行うにおいて、異なる供給電圧を２系統２別電力供給として一体制御をする仕様と構造と施工方法と形態を備えることを特徴とする低圧力率調整盤。
【請求項２】
開閉扉付き収納箱の左右扉に冷却穴を設けた収納盤に、配線カバー、接続電線から構成される収納箱寸法巾８００ｍｍ、高さ６００ｍｍ、奥行き２５０ｍｍからなる０．１２ｍ３以下の体積構成を特徴とする請求項１に記載の低圧力率調整盤。
【請求項３】
低圧（交流６００Ｖ以下）、高圧（６００Ｖを超え７，０００Ｖ以下）、特別高圧（７，０００Ｖを超える）受電設備の住宅（約５，０００万世帯）、店舗（約１１４万店）、工場（一次、二次、三次産業含む）の使用と施工において、電気供給約款契約負荷設備（非特許文献１）の仕様を備えることを特徴とする請求項１に記載の低圧力率調整盤。
【請求項４】
力率改善制御部と低圧進相コンデンサ投入部を分割分離した別置形状として、低圧（交流６００Ｖ以下）、高圧（６００Ｖを超え７，０００Ｖ以下）、特別高圧（７，０００Ｖを超える）受電設備の住宅（約５，０００万世帯）、店舗（約１１４万店）、工場（一次、二次、三次産業含む）の使用と施工において、電気供給約款契約負荷設備（非特許文献１）の仕様を備えることを特徴とする請求項１に記載の低圧力率調整盤。
【請求項５】
制御部単相電源に代替電力を介して使用することで、電灯契約を不要とする請求項１から請求項４に記載の低圧力率調整盤。
【発明の詳細な説明】
【技術分野】
【０００１】
本発明は、送電効率を上げる低圧力率調整盤に関するものである。
【背景技術】
【０００２】
従来の力率改善法として、低圧（交流６００Ｖ以下）受電設備は、分岐回路に低圧進相コンデンサを個別に設置したものがある。
高圧（交流６００Ｖをこえ、６，０００Ｖ以下）受電設備は、変圧器一次側に高圧進相コンデンサ単体を設置したものがある。
特別高圧（６，０００Ｖを超える）受電設備は、自動力率調整装置、高圧進相コンデンサ、リアクトルを組み合わせた大型設備を設置したものがある。
【０００３】
従来の力率改善対策である低圧進相コンデンサを分岐回路に個別設置、変圧器一次側に高圧進相コンデンサの単体取り付けでは、負荷変動に対して適正な力率管理がされず深夜を含めた軽負荷時にはコンデンサの解放ができない理由から進み力率となる。
特別高圧需要家においても、低圧配電盤から行われることはなかった。
【先行技術文献】
【特許文献】
【０００４】
【特許文献１】特許出願２００２−３２５０２２
【非特許文献】
【０００５】
【非特許文献１】中部電力株式会社  電気供給約款
【発明の概要】
【発明が解決しようとする課題】
【０００６】
本発明は、住宅（約５，０００万世帯）、店舗（約１１４万店）、工場（一次、二次、三次産業を含む）では、適正な力率管理が要求されるものの受電設備を設計する場合、特に低圧（交流６００Ｖ以下）、高圧（交流６００Ｖを超え７，０００Ｖ以下）需要家では、力率改善対策は電気工事の施工費安価が優先されるため、理想的な形態としては実用化されていない。そのため単相、三相誘導電動機、誘導負荷の無効電力分を考慮した過大な安全率による設備設計が採用されるため、受電設備は必然的に大型化し、余剰な投資負担を強いられている実情がある。
また、制御盤製造と施工は仕様によっては、電力受給契約種別の適用除外もあり、電気供給約款の契約負荷設備を設計指針とする必要がある。
上記の無効電力を削減し、適正な設計、電気容量、投資とする力率改善法を低圧力率調整盤で提供することを目的とする。
【課題を解決するための手段】
【０００７】
制御盤を構成する部材の電圧種別により、電力需給契約除外となる契約種別もあるため契約負荷設備（非特許文献１）としての適用構成とした単相電圧を供給電源とする電磁接触器電磁コイルと、単相電圧または三相電圧を供給電源とする低圧進相コンデンサと、単相電圧と三相電圧を併用供給電源とする自動力率調整装置と、単相開閉器と三相開閉器と変流器と端子台からなる単相電源と三相電源を併用する入力回路を１収納箱に収め力率改善制御を行うにおいて、異なる供給電圧を２系統２別電力供給として一体制御をする仕様と構造と施工方法と形態を備えることを特徴とする低圧力率調整盤を提供する。
【発明の効果】
【０００８】
本発明の低圧力率調整盤導入で、無効電力低減から負荷機器力率数値を１００％として設計でき、適正な安全率の受電設備投資を備えた省エネ高効率受電設備となる。
住宅（約５，０００万世帯）、店舗（約１１４万店）、工場（一次、二次、三次産業含む）の広域利用が可能となり、電気的悪影響の電圧変動、照明及び弱電回路のフリッカ抑制と昼夜軽負荷時進み力率においては、低圧進相コンデンサを解放できるので適正な力率保持が行われる。
【０００９】
本発明の低圧力率調整盤導入により電力供給事業者は、無効電力改善効果から発電負担である皮相電力量が低減でき、発電エネルギー節約につながり輸入を含めた生産管理コストを大きく削減できる。さらに、設備投資は契約者負担で行うため設備投資費用を一切必要としない上で送電系統力率を受電設備末端から改善できる。
【００１０】
本発明の低圧力率調整盤導入により需要家は、低圧進相コンデンサ効果から力率の保持（非特許文献１）を遵守でき、基本料金力率割引（非特許文献１）適用を受ける。
低圧（非特許文献１）契約者は最大１０％、高圧（非特許文献１）契約者は最大１５％割引による費用対効果を得る。
【００１１】
本発明の低圧力率調整盤を導入することにより、工事現場発電機、ビル、店舗の非常用発電機の二次側に取付けることで力率改善効果の皮相電力低減により、発電時の燃費を改善する。また、トンネル工事など延長された末端受電設備に取付けることにより、工作機器の電圧降下を抑制し、皮相電力低減から使用機器台数を増やすことが可能となり、作業効率と生産能率も併せて改善できる。
【図面の簡単な説明】
【００１２】
【図１】開閉扉を閉じた外観を示した正面図である。
【図２】開閉扉を外した機器配置を示した正面図である。
【図３】壁面取付を示した立面図である。
【図４】上部を示した平面図である。
【図５】単相電源三相電源併用入力端子台図である。
【図６】低圧進相コンデンサ６群電源入力端子台図である。
【図７】三相回路６群制御電磁接触器、低圧進相コンデンサを示す配線図である。
【図８】単相三相電源併用自動力率調整装置接続を示した配線図である。
【図９】低圧電力契約三相回路の利用法を示した配線図である。
【図１０】高圧契約三相回路の利用法を示した配線図である。
【図１１】高圧契約、低圧従量電灯契約単相回路の利用法を示した配線図である。
【発明を実施するための形態】
【００１３】
以下本発明を、その実施の形態を示す図面に基づいて具体的に説明する。
なお実施の形態では、この発明に係わる低圧力率調整盤を受変電システムに適用して、受変電負荷設備の無効電力を力率改善用の低圧進相コンデンサ５００マイクロファラッド６群を管理制御する場合を例にとり説明する。
本発明の低圧力率調整盤の作動は、一体収納箱とする収納盤の内部構成部材の自動力率調整装置へ単相電源を入力送電し、主開閉器一次側に取付けた変流器出力電圧と制御回路の単相線間電圧または、三相線間電圧値から無効電力制御値演算を行い低圧進相コンデンサの適正容量値と適時投入の制御信号を演算出力している。
一方、電磁接触器電磁コイルも、単相電源を作動電源としており自動力率調整装置からの制御信号により開閉器を作動させて低圧進相コンデンサの適時投入をすることにより、制御対象回路の力率改善をするものである。
図７、図８、図９、図１０は、三相回路使用時の適用配線例を示す。
図１１は、単相回路使用時の適用配線例を示す。
【００１４】
本発明の低圧力率調整盤は、自動力率調整装置の管理下で無効電力量に応じ必要な低圧進相コンデンサを電磁接触器を通じ投入し、電力送電効率を上げる力率改善を行うものである。使用に際しては電気供給約款（非特許文献１）に拘束されており、低圧契約需要家に支障を来すことなく契約締結を可能とする技術を提供するものである。
【００１５】
図１は、本発明の実施例を示すものであり、収納盤（１）は電気工事部材であるプラスティック製、またはＦＲＰ製の軽量材を用いた収納盤であり、扉には左右に開閉ハンドル（２）自然吸排気の排気口（３）吸気口（４）を有する。
収納盤の大きさは、幅８００mm、高さ６００mm、奥行き２５０mm、体積０.１２m3、取り付け金具を含めた幅９００mmである。  
【００１６】
図２は、本発明の実施例の低圧進相コンデンサ６群制御管理仕様の機器構成配置を、左右扉を外した状態で示すものである。構成部材は、自動力率調整装置（６）、単相電源三相電源併用端子台（７）、三相電源端子台（８）、自動力率調整装置電源ブレーカ（９）、配線を収納する配線カバー（１０）、電磁接触器（１１）、低圧進相コンデンサ（１２）である。
【００１７】
図３は、本発明の実施例の低圧力率調整盤を壁面に取付けた場合を示す立面図であり、図４は、上部を示した図である。
【００１８】
図５は、本発明の低圧力率調整盤の単相電源と三相電源を併用接続する端子台を示すものである。  
端子（１３）は、自動力率調整装置の演算で使用する制御対象回路線間電圧の単相、または三相電圧を接続する入出力端子である。
端子（１３）の入力は、三相回路においては図６端子（１８）Ｕ１からＰ１、Ｖ１からＰ２、Ｗ１からＰ３へ線間電圧の相順をＲ相をＰ１、Ｓ相をＰ２、Ｔ相をＰ３に合わせて接続する。
また、単相回路においては図６端子（１８）Ｕ１からＰ１、Ｖ１からＰ２へ線間電圧の相順をＲ相をＰ１、Ｔ相をＰ２に合わせて接続する。
端子（１４）は、変流器（４０）のＲ相入出力端子で、変流器（４０）の（１Ｓ）を１Ｓへ変流器（４０）の（１Ｌ）を１Ｌに接続する。端子（１５）は、変流器（４１）のＴ相入出力端子で、変流器（４１）の（３Ｓ）を３Ｓへ変流器（４１）の（３Ｌ）を３Ｌに接続する。
変流器Ｒ相、Ｔ相の記号を照らし合わせて接続する。
端子（１６）は、アース入出力端子である。使用電線はＩＶ電線２．０mm２許容電流２７アンペアにより既設配電盤から分岐接続をする。
端子（１７）は、自動力率調整装置（６）、電磁接触器（１１）電磁コイルの動作電源入出力端子である。
低圧電力（非特許文献１）三相回路には、別途従量電灯からの入力とすることにより電気供給約款（非特許文献１）を遵守した使用法となる。
従量電灯（非特許文献１）の電灯配電盤分岐回路ブレーカ５０から、ＶＶＦ電線２．０mm２芯許容電流２２アンペアによりＲＣ１、ＴＣ１に接続する。
図１０の高圧電力（非特許文献１）三相回路使用時には、端子（１３）Ｐ１から端子（１７）ＲＣ１へ、端子（１３）Ｐ３から端子（１７）ＴＣ１へＩＶ電線２．０mm２許容電流２７アンペアにより分岐接続する。
図１１の高圧電力、従量電灯（非特許文献１）単相回路の使用時には、端子（１３）Ｐ１から端子（１７）ＲＣ１へ、端子（１３）Ｐ２から端子（１７）ＴＣ１へＩＶ電線２．０mm２許容電流２７アンペアにより分岐接続する。
【００１９】
図６は、低圧進相コンデンサ６群電源を供給する入出力端子である。
コンデンサ電源主端子として利用するＳＣ１（１８）のＵ１、Ｖ１、Ｗ１にコンデンサ総容量に見合う許容電流配線を接続する。
図９低圧電力（非特許文献１）、図１０高圧電力（非特許文献１）低圧三相回路使用時には、コンデンサ電源を分岐回路ブレーカ４５から、Ｕ１、Ｖ１、Ｗ１にコンデンサ総容量３，０００マイクロファラッドに見合う幹線ＣＶ（架橋ポリエチレン絶縁ビニル外装ケーブル）電線３８mm２単心３条許容電流１９０アンペアにより配線接続する。
図１１の高圧電力、従量電灯（非特許文献１）単相回路使用時には、コンデンサ電源を分岐回路ブレーカ５０から、Ｕ１、Ｖ１にコンデンサ総容量３，０００マイクロファラッドに見合う幹線ＣＶ（架橋ポリエチレン絶縁ビニル外装ケーブル）電線６０mm２単心２条許容電流２５５アンペアにより配線接続する。
【００２０】
図７は、三相回路低圧進相コンデンサ６群管理を構成する配線図である。
各コンデンサの三相回路接続は、図６端子ＳＣ１（１８）Ｕ１、Ｖ１、Ｗ１から低圧進相コンデンサＳＣ１（２４）端子Ｕ１、Ｖ１、Ｗ１へ、同様に端子ＳＣ２（１９）Ｕ２、Ｖ２、Ｗ２から低圧進相コンデンサＳＣ２（２５）端子Ｕ２、Ｖ２、Ｗ２へ、同様に端子ＳＣ３（２０）Ｕ３、Ｖ３、Ｗ３から低圧進相コンデンサＳＣ３（２６）端子Ｕ３、Ｖ３、Ｗ３へ、同様に端子ＳＣ４（２１）Ｕ４、Ｖ４、Ｗ４から低圧進相コンデンサＳＣ４（２７）端子Ｕ４、Ｖ４、Ｗ４へ、同様に端子ＳＣ５（２２）Ｕ５、Ｖ５、Ｗ５から低圧進相コンデンサＳＣ５（２８）端子Ｕ５、Ｖ５、Ｗ５へ、同様に端子ＳＣ６（２３）Ｕ６、Ｖ６、Ｗ６から低圧進相コンデンサＳＣ６（２９）端子Ｕ６、Ｖ６、Ｗ６へＩＶ電線５．５mm２許容電流値４９アンペアにより、記号に照らし合わせ電磁接触器を経由して接続する。
図１１、単相回路コンデンサへの出力配線接続は、図６端子ＳＣ１（１８）Ｕ１、Ｖ１から低圧進相コンデンサＳＣ１（２４）端子Ｕ１、Ｖ１へ、同様に端子ＳＣ２（１９）Ｕ２、Ｖ２から低圧進相コンデンサＳＣ２（２５）端子Ｕ２、Ｖ２へ、同様に端子ＳＣ３（２０）Ｕ３、Ｖ３から低圧進相コンデンサＳＣ３（２６）端子Ｕ３、Ｖ３へ、同様に端子ＳＣ４（２１）Ｕ４、Ｖ４から低圧進相コンデンサＳＣ４（２７）端子Ｕ４、Ｖ４へ、同様に端子ＳＣ５（２２）Ｕ５、Ｖ５から低圧進相コンデンサＳＣ５（２８）端子Ｕ５、Ｖ５へ、同様に端子ＳＣ６（２３）Ｕ６、Ｖ６から低圧進相コンデンサＳＣ６（２９）端子Ｕ６、Ｖ６へＩＶ電線５．５mm２許容電流値４９アンペアにより、記号に照らし合わせ電磁接触器を経由して接続する。
【００２１】
図８は、６群管理の自動力率調整装置と電磁接触器の接続図である。
単相電源の取り扱いについては、ブレーカ（９）二次側端子Ｒ相（ＲＣ１）を自動力率調整装置端子（３７）ＭＡと電磁接触器電磁コイル端子一方へ接続、二次側端子Ｔ相（ＴＣ１）を自動力率調整装置端子（３７）ＭＢとＣＯＭに接続する。
電磁接触器（３０）電磁コイル作動電源は、自動力率装置出力端子Ｃ１から電磁コイル端子他一方へ、それぞれＩＶ電線２．０mm２許容電流２７アンペアにより接続する。
電磁接触器（３１）電磁コイル作動電源は、自動力率装置出力端子Ｃ２から電磁コイル端子他一方へ、それぞれＩＶ電線２．０mm２許容電流２７アンペアにより接続する。
電磁接触器（３２）電磁コイル作動電源は、自動力率装置出力端子Ｃ３から電磁コイル端子他一方へ、それぞれＩＶ電線２．０mm２許容電流２７アンペアにより接続する。
電磁接触器（３３）電磁コイル作動電源は、自動力率装置出力端子Ｃ４から電磁コイル端子他一方へ、それぞれＩＶ電線２．０mm２許容電流２７アンペアにより接続する。
電磁接触器（３４）電磁コイル作動電源は、自動力率装置出力端子Ｃ５から電磁コイル端子他一方へ、それぞれＩＶ電線２．０mm２許容電流２７アンペアにより接続する。
電磁接触器（３５）電磁コイル作動電源は、自動力率装置出力端子Ｃ６から電磁コイル端子他一方へ、それぞれＩＶ電線２．０mm２許容電流２７アンペアにより接続する。
【００２２】
図９は、低圧電力（非特許文献１）契約の適用配線施工方法であって、単相２００Ｖ電源と三相２００Ｖ電源を併用する装置の自動力率調整装置、単相２００Ｖ電磁接触器電磁コイル、三相２００Ｖ低圧進相コンデンサからなる制御盤を各電力会社電気供給約款（非特許文献１）に適用遵守する配線施工方法である。
自動力率調整装置（６）への電源入力は、制御対象の三相電源からの供給は電気供給約款（非特許文献１）の取り決めからできない。
従量電灯（非特許文献１）契約の電灯配電盤の分岐開閉器（５０）から端子台（７）のＲＣ１、ＴＣ１を経由して、ブレーカ（９）を経由した後、自動力率調整装置（６）の端子ＭＡ、ＭＢに接続する単相２線式別契約供給方式としなければならない。
配線方法は、本図と照らし合わせ行うことにより電気供給約款（非特許文献１）を遵守できることにより、１０電力会社間で支障なく契約締結できる。
【００２３】
図１０は、高圧電力（非特許文献１）契約者の低圧三相回路において低圧力率調整盤を利用する場合の接続方法である。
自動力率調整装置（６）への電源入力は、高圧契約（非特許文献１）者においては、電灯と電力を１契約１電力メーターで計量しているため、三相回路に低圧力率調整盤を設置する場合は、三相回路から単相回路を取り出し接続しても良い。
高圧契約者の配電盤の分岐開閉器（４５）から三相電源端子台（８）Ｕ１、Ｗ１を経由して、単相電源三相電源併用端子台（７）のＲＣ１、ＴＣ１へ接続しブレーカ（９）を経由した後、自動力率調整装置（６）の端子ＭＡ、ＭＢに制御対象の同一回路として供給する。配線方法は、本図と照らし合わせ行うことにより電気供給約款（非特許文献１）を遵守できる。
【００２４】
図１１は、高圧電力（非特許文献１）、低圧契約（非特許文献１）電灯回路において低圧力率調整盤を使用する場合の接続方法である。
自動力率調整装置（６）電源の電源入力は、制御対象の電灯配電盤分岐開閉器（５０）から三相電源端子台（８）Ｕ１、Ｖ１を経由して、単相電源三相電源併用端子台（７）端子ＲＣ１、ＴＣ１へ接続を行った後、ブレーカ（９）を経由した後、自動力率調整装置（６）端子（３７）ＭＡ、ＭＢに接続し制御対象同一回路として供給する。
配線方法は、本図と照らし合わせ行うことにより電気供給約款（非特許文献１）を遵守できる。
【００２５】
図９，図１０，図１１の低圧進相コンデンサ容量を設計変更する場合は、低圧進相コンデンサ容量に見合う適正な許容電流を算出し、分岐開閉器、電磁接触器、幹線サイズを算出選別する。
盤内部冷却方法として、強制空冷方式を選択する場合の単相仕様送風ファン電源は、端子台７端子（１７）ＲＣ１、ＴＣ１から分岐配線供給とすることにより電気供給約款（非特許文献１）を遵守できる。
契約種別低圧電力（非特許文献１）では、太陽光、風力を含む自家発電装置等を介して直流交流変換して、端子台７端子（１７）ＲＣ１、ＴＣ１を経由して通電使用することにより、電灯契約を不要とすることができる。
【実施例１】
【００２６】
本発明の低圧力率調整盤の施工効果を取付前、取付後の比較資料により説明をする。
収納箱寸法は、横巾８００ｍｍ、高さ６００ｍｍ、奥行き２５０ｍｍとする体積０．１２ｍ３。
表１は、所轄電力会社契約種別変更の申込書類であり、施工前契約容量についての確認書類であって、電灯契約２４ｋｗ、動力２６ｋｗ、総設備契約容量５０ｋｗを示す。
表２は、所轄電力会社電気使用実績証明書であって、需要家の設備総容量を減らすことなく、無効電力を削減する本方法によりブレーカを通過する皮相電流を有効電流と同じ大きさとする効果を利用し、契約容量削減を実現したものである。
電灯契約を２４ｋｗから１６ｋｗに減設、電力契約を低圧力率調整盤により２６ｋｗから２１ｋｗに減設をした施工後契約総容量３７ｋｗと使用量１５ヶ月間を示す証明書である。
【００２７】
表３は、所轄電力会社電気使用申込書（電灯）兼しゅん工調査表の電灯契約減設施工後の電気工事しゅん工記録であって、低圧力率調整盤の単相電源供給方式ならびに施工法の検査合格を示す。
表４は、所轄電力会社電気使用申込書（電力）兼しゅん工調査表の電力契約減設施工後の電気工事しゅん工記録であって、低圧力率調整盤の単相電源供給方式ならびに施工法と三相コンデンサ電源供給方式ならびに施行法の検査合格を示す。
【００２８】
表５は、施工前２００２年２月２６日から３月４日の７日間の電力測定データーと施工後２００２年９月１０日から９月１６日の７日間の電力測定データーを集計比較したものであり、力率改善効果を証明する資料である。
季節により、負荷稼働状況の違いがあるものの電力消費量は、改善前１３４３．９ｋｗｈ、改善後１９７０．６ｋｗｈ、負荷稼働率増加４６．６％を示しているが、無効電力量は、改善前４２８．８４ｋｖａｒｈ、改善後１５２．６１ｋｖａｒｈ、削減率３５．５８％を示し、低圧力率調整盤のコンデンサ適正容量と適時投入効果を立証している。
週間曜日別の平均力率数値（上段）、最大平均値（下段）も施工後、上昇改善している。
表６から表１９は、電力測定器（株）ムサシインテックＰＡ２０００によるデーターであって、表６から表１２は改善前７日間、表１３から表１９は、改善後７日間のインターバル１５分による電圧、電流、電力、力率の１５分毎の瞬時値と日報集計を示す。    
【００２９】
実施例２は、低圧配電盤側において力率改善管理をする低圧力率調整盤の、壁面取付と省スペース、省施工としていること示す施工実例である。
実施例３は、本発明の低圧力率調整盤の扉を開放して内部を示し、単相電圧を供給電源とする電磁接触器電磁コイルと、単相電圧または三相電圧を供給電源とする低圧進相コンデンサと、単相電圧と三相電圧を併用供給電源とする自動力率調整装置と、単相開閉器と三相開閉器と変流器と端子台からなる単相電源と三相電源を併用する入力回路を１収納箱に収め力率改善制御を行うにおいて、異なる供給電圧を２系統２別電力供給として一体制御をする仕様と構造と施工方法と形態を備えることを特徴とする。
実施例４は、本発明の低圧力率調整盤が、無効電力量を演算するために必要な、動力幹線主開閉器電流値を入力するための変流器取付けを示す。
実施例５は、本発明の低圧力率調整盤演算部の自動力率調整装置の作動状態をランプ表示で示し、力率遅れ９９．４％、投入コンデンサＣ３、Ｃ４、状態適正を示す。
【００３０】
【表１】
2011257819.tif 000003
【００３１】
【表２】
2011257819.tif 000004
【００３２】
【表３】
2011257819.tif 000005
【００３３】
【表４】
2011257819.tif 000006
【００３４】
【表５】
2011257819.tif 000007
【００３５】
【表６】
2011257819.tif 000008
【００３６】
【表７】
2011257819.tif 000009
【００３７】
【表８】
2011257819.tif 000010
【００３８】
【表９】
2011257819.tif 000011
【００３９】
【表１０】
2011257819.tif 000012
【００４０】
【表１１】
2011257819.tif 000013
【００４１】
【表１２】
2011257819.tif 000014
【００４２】
【表１３】
2011257819.tif 000015
【００４３】
【表１４】
2011257819.tif 000016
【００４４】
【表１５】
2011257819.tif 000017
【００４５】
【表１６】
2011257819.tif 000018
【００４６】
【表１７】
2011257819.tif 000019
【００４７】
【表１８】
2011257819.tif 000020
【００４８】
【表１９】
2011257819.tif 000021
【実施例２】
【００４９】
2011257819.tif 000022
【実施例３】
【００５０】
2011257819.tif 000023
【実施例４】
【００５１】
2011257819.tif 000024
【実施例５】
【００５２】
2011257819.tif 000025
【符号の説明】
【００５３】
１  収納盤
２ 
開閉ハンドル
３ 
排気口
４ 
吸気口
５ 
取付金具
６ 
自動力率調整装置
７ 
端子台
８ 
端子台
９ 
ブレーカ
１０ 
配線カバー
１１ 
電磁接触器
１２ 
低圧進相コンデンサ
１３  測定回路電圧接続端子
１４ 
Ｒ相変流器接続端子
１５ 
Ｔ相変流器接続端子
１６ 
アース端子
１７ 
自動力率調整装置、電磁接触器電磁コイル接続端子
１８ 
低圧進相コンデンサ１接続端子
１９ 
低圧進相コンデンサ２接続端子
２０ 
低圧進相コンデンサ３接続端子
２１ 
低圧進相コンデンサ４接続端子
２２ 
低圧進相コンデンサ５接続端子
２３ 
低圧進相コンデンサ６接続端子
２４ 
低圧進相コンデンサ１
２５ 
低圧進相コンデンサ２
２６ 
低圧進相コンデンサ３
２７ 
低圧進相コンデンサ４
２８ 
低圧進相コンデンサ５
２９ 
低圧進相コンデンサ６
３０ 
電磁接触器１
３１ 
電磁接触器２
３２ 
電磁接触器３
３３ 
電磁接触器４
３４ 
電磁接触器５
３５ 
電磁接触器６
３６ 
制御回路電圧入力端子
３７ 
自動力率調整装置電源入力端子
３８ 
自動力率調整装置、電磁コイル供給単相電源
３９ 
低圧電力（非特許文献１）契約  電力量計
４０ 
Ｒ相変流器
４１ 
Ｔ相変流器
４２ 
三相回路  主開閉器
４３ 
三相回路  分岐開閉器
４４ 
三相回路  負荷設備
４５ 
三相回路  低圧進相コンデンサ電源分岐開閉器
４６ 
従量電灯契約  電力量計
４７ 
単相回路  主開閉器
４８ 
単相回路  分岐開閉器
４９ 
単相回路  負荷設備
５０ 
単相回路  自動力率調整装置、電磁接触器電磁コイル電源分岐開閉器
５１ 
高圧電力（非特許文献１）契約  電力量計
５２  Ｔ相変流器配線  ＶＶＦ２．０mm２芯
５３ 
Ｒ相変流器配線  ＶＶＦ２．０mm２芯
５４  コンデンサ、自動力率調整装置電源  配線  ＣＶ６０ｍｍ２
５５  コンデンサ電源  配線  ＣＶ３８ｍｍ２
５６ 
自動力率調整装置電源  配線  ＶＶＦ２．０mm２芯
【図１】
2011257819.tif 000026
【図２】
2011257819.tif 000027
【図３】
2011257819.tif 000028
【図４】
2011257819.tif 000029
【図５】
2011257819.tif 000030
【図６】
2011257819.tif 000031
【図７】
2011257819.tif 000032
【図８】
2011257819.tif 000033
【図９】
2011257819.tif 000034
【図１０】
2011257819.tif 000035
【図１１】
2011257819.tif 000036
【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
需要家敷地構外から電灯需要と電力需要の供給を受ける低圧需要家の低圧電力三相２００Ｖ配電設備の力率改善を行うにおいて、収納盤とする「収納箱」に、自動力率調整装置へ接続する制御対象三相３線式２００Ｖ線間電圧と変流器出力単相電圧と接地線と単相２線式ブレーカ配線を接続する「端子台」と「単相ブレーカ」と「自動力率調整装置」と三相２００Ｖ電源を供給接続する「端子台」と低圧進相コンデンサ電源を投入遮断する「電磁接触器」と「低圧進相コンデンサ」と「接続電線」と「配線カバー」から力率改善制御回路を構成組み、力率改善制御を行う電源供給路と動作は、電灯配電盤から供給する単相２線式電源を単相２線式配線により、制御対象三相３線式２００Ｖ線間電圧と変流器出力単相電圧と接地線と単相２線式ブレーカ配線を接続する「端子台」の単相２線式ブレーカ電源端子へ接続経由し、自動力率調整装置動作電源の単相２線式２極「単相ブレーカ」を経由し、自動力率調整装置の入力電源指定端子に接続し、同装置の無効電力値演算に必要な制御対象三相２００Ｖ線間電圧と、変流器出力単相電圧と、接地線を本装置入力指定端子へ接続し作動させ、求められた演算値から無効電力の制御値に見合う低圧進相コンデンサ容量を選別させ、選別した低圧進相コンデンサを接続する電磁接触器コイルに通電し、電磁接触器一次側に接続されている力率改善制御対象回路電圧線と電磁接触器の二次側に接続された低圧進相コンデンサの投入を電磁接触器の接点開閉により有し、
受電系統路に、制御動作用単相電源を力率改善制御対象三相２００Ｖ回路からの供給としない、需要家敷地構外電力設備の電灯需要供給単相電源一系統入力と、低圧電力需要三相２００Ｖ一系統の二系統２種類の需要電力を収納箱に入力し、単相電源入力端子台から自動力率調整装置本体へ電灯需要単相電源を動作電源として接続し、三相入力電源端子台から自動力率調整装置へ低圧電力需要三相電源を演算用線間電圧と力率改善用低圧進相コンデンサ電源として接続する二系統２種類の需要電力の併用入力で、特に自動力率調整装置筐体に単相電圧、三相電圧を必要とする装置に、二系統２種類の需要電力の併用入力方式とすることを特徴とする低圧需要家三相２００Ｖ設備の力率改善制御を自動で行う低圧力率調整盤。
【請求項２】
需要家敷地構外から電灯需要と電力需要の供給を受ける低圧需要家の低圧電力三相２００Ｖ配電設備の力率改善を行うにおいて、収納盤とする「収納箱」に、自動力率調整装置へ接続する制御対象三相３線式２００Ｖ線間電圧と変流器出力単相電圧と接地線と単相２線式ブレーカ配線を接続する「端子台」と「単相ブレーカ」と「自動力率調整装置」と三相２００Ｖ電源を供給接続する「端子台」と低圧進相コンデンサ電源を投入遮断する「電磁接触器」と「低圧進相コンデンサ」と「接続電線」と「配線カバー」から力率改善制御回路を構成組み、力率改善制御を行う電源供給路と動作は、電灯配電盤から供給する単相２線式電源を単相２線式配線により、制御対象三相３線式２００Ｖ線間電圧と変流器出力単相電圧と接地線と単相２線式ブレーカ配線を接続する「端子台」の単相２線式ブレーカ電源端子へ接続経由し、自動力率調整装置動作電源の単相２線式２極「単相ブレーカ」を経由し、自動力率調整装置の入力電源指定端子に接続し、同装置の無効電力値演算に必要な制御対象三相２００Ｖ線間電圧と、変流器出力単相電圧と、接地線を本装置入力指定端子へ接続し作動させ、求められた演算値から無効電力の制御値に見合う低圧進相コンデンサ容量を選別させ、選別した低圧進相コンデンサを接続する電磁接触器コイルに通電し、電磁接触器一次側に接続されている力率改善制御対象回路電圧線と電磁接触器の二次側に接続された低圧進相コンデンサの投入を電磁接触器の接点開閉により有し、
受電系統路に、制御動作用単相電源を力率改善制御対象三相２００Ｖ回路からの供給としない、需要家敷地構外電力設備の電灯需要供給単相電源一系統入力と、低圧電力需要三相２００Ｖ一系統の二系統２種類の需要電力を収納箱に入力し、単相電源入力端子台から自動力率調整装置本体へ電灯需要単相電源を動作電源として接続し、三相入力電源端子台から自動力率調整装置へ低圧電力需要三相電源を演算用線間電圧と力率改善用低圧進相コンデンサ電源として接続する二系統２種類の需要電力の併用入力方式で、特に自動力率調整装置筐体に単相電圧、三相電圧を必要とする装置に、買電商用電力二系統２種類の需要電力の併用入力方式とすることにより、電気供給約款  契約負荷設備（非特許文献１）の適用を備えること特徴とする低圧需要家三相２００Ｖ設備の力率改善制御を自動で行う低圧力率調整盤。
【請求項３】
請求項１に記載の力率改善制御を行う電源供給路を代替電力非買電商用電灯配電盤から供給する単相２線式供給電源を単相２線式配線により自動力率調整装置へ接続経由する制御対象三相３線式２００Ｖ線間電圧と変流器出力単相電圧と接地線と単相２線式ブレーカ配線を接続する「端子台」の単相２線式ブレーカ電源端子へ接続経由し、自動力率調整装置動作電源の単相２線式２極「単相ブレーカ」を経由し、自動力率調整装置の入力電源指定端子に接続し、同装置の無効電力値演算に必要な制御対象三相２００Ｖ線間電圧と、変流器出力単相電圧と、接地線を本装置入力指定端子へ接続し作動させ、求められた演算値から無効電力の制御値に見合う低圧進相コンデンサ容量を選別させ、選別した低圧進相コンデンサを接続する電磁接触器コイルに通電し、電磁接触器一次側に接続されている力率改善制御対象回路電圧線と電磁接触器の二次側に接続された低圧進相コンデンサ投入を電磁接触器の接点開閉により有し、制御動作用単相電源を力率改善制御対象三相２００Ｖ回路からの供給としない再生可能エネルギー太陽光・風力・自家用発電の非買電商用電力供給とした単相電源一系統入力と買電低圧電力需要三相２００Ｖ一系統の二系統２種類の需要電力を収納箱に入力し、非買電商用電力単相電源を単相電源入力端子台から自動力率調整装置へ、買電低圧電力需要三相電源を三相入力電源端子台から自動力率調整装置へ二系統２種類の需要電力の併用入力方式で、特に自動力率調整装置筐体に単相電圧、三相電圧を必要とする装置に非買電商用電力単相電源一系統と買電商用電力三相電源一系統の二系統２種類の需要電力の併用入力方式とすること特徴とする力率改善制御を自動で行う低圧力率調整盤。